(57)【特許請求の範囲】
【請求項１】
通常時、起動信号がオンになることで異常発生を知らせる音声警報信号を出力し、起動信号がオフになることで音声警報信号の出力を直ちに停止し、点検モードを設定した場合には、音声警報信号の出力途中で起動信号がオフになってもその時点で音声警報信号の出力を停止せず、音声警報信号のうちの予め決められた音声警報メッセージまで出力してから停止することを特徴とする音声警報装置。
【請求項２】
請求項１記載の音声警報装置を備え、火災信号を受けることで起動信号をオンし、前記音声警報装置を起動させて音声警報信号を出力することを特徴とする住棟用受信機。
【請求項３】
管理人室等の中央に設けられる請求項２記載の住棟用受信機と、
各住戸毎に設けられる、
火災感知器と、
該火災感知器を感知器回線を介して接続し、火災確定信号を受けた場合に前記住棟用受信機に火災信号を出力する中継器と、
前記中継器が前記火災感知器の発報を検出した場合に出力する作動信号を受信した場合には、自己のスピーカにより音声警報を行うと共に前記作動信号を受けて所定の遅延時間後に火災確定信号を中継器に出力する住戸用受信機と、
音声警報信号を出力するスピーカを備えた戸外表示器と、
を備えた共同用住宅用火災報知システムにあって、
前記火災感知器の遠隔作動試験を含む住戸点検時に前記中継器に接続し、試験開始操作を行った場合に前記中継器を介して前記住戸用受信機に試験中信号を出力し、前記火災感知器の試験が正常に終了した場合に前記中継器に試験正常終了信号を数秒間出力する回路部を設けた外部試験器を有し、
前記中継器に、前記外部試験器より試験中信号を受けた場合に前記感知器回線を住戸用受信機側から外部試験器側に切り換え接続して外部試験器から前記火災感知器の遠隔作動試験を可能とし、前記外部試験器より試験正常終了信号を受けた場合に、試験正常終了信号の出力時間程度だけ前記住戸用受信機に作動信号を出力し、該作動信号を出力した後前記住戸用受信機より火災確定信号を受けた場合に、該火災確定信号の出力時間程度だけ前記住棟用受信機に火災信号を出力する回路部を設け、
前記住棟用受信機に、前記中継器から送られる火災信号を保持しない試験復旧モードを備え、住戸点検時に該試験復旧モードが設定されている状態で、前記中継器からの火災信号を受けると、前記音声警報装置に対する起動信号をオンし、火災信号を受けなくなった時点で前記音声警報装置への起動信号をオフする回路部を設け、自己の前記音声警報装置は、住戸点検時に点検モードが設定されていることで、前記回路部からの起動信号がオンになることで異常発生信号を知らせる音声警報信号の出力を開始し、音声警報信号の出力途中で起動信号がオフになってもその時点で音声警報信号の出力を停止せず、音声警報信号のうちの予め決められた音声警報メッセージまで出力してから停止し、
前記住戸用受信機に、前記中継器経由で前記外部試験器からの試験中信号を受けることで、前記戸外表示器に試験中信号を出力し、更に自己のスピーカによる音声警報及び前記遅延時間による遅延動作を禁止し、また、該試験中信号を受けている状態で前記中継器より作動信号を受けた場合に、音声警報を行わず、直ちに前記中継器に火災確定信号を作動信号の出力時間程度だけ出力する回路部を設け、
前記戸外表示器に、前記住戸用受信機より試験中信号を受けている状態で、前記住棟用受信機から出力される音声警報信号を自己のスピーカから出力可能とする回路部を設けたことを特徴とする共同住宅用火災報知システム。
【発明の詳細な説明】
【０００１】
【発明の属する技術分野】
本発明は、音声警報を出力するための音声信号を生成して出力する音声警報装置、この音声警報装置を用いた住棟用受信機及びこの住棟用受信機を用いた共同住宅用火災報知システムに関する。
【０００２】
【従来の技術】
従来の音声警報を行う共同住宅用火災報知システムにあっては、住戸内に設けられた火災感知器が発報すると、住戸内に設置している住宅情報盤（住戸用受信機）から管理人室等の中央に設置された防災情報を集中監視する住棟用受信機に火災信号が送られる。火災信号を受信した
住棟用受信機では、自己の音声警報装置を起動して所定の音声信号を生成した後、近隣住戸、例えば出火階及びその直上階の住戸に音声警報信号として出力する。これにより、出火階及びその直上階の出火住戸以外の住戸用受信機のスピーカ及び出火住戸の戸外表示器のスピーカに住棟用受信機からの音声警報信号が供給され、例えば「（ピンポン、ピンポン、ピンポン、火事です、火事です、１階で火災が発生しました。安全を確認のうえ避難して下さい。）×２回繰り返し＋（フィフィフィ）×３回繰り返し」などの出火場所を含む音声警報メッセージが出力される。
【０００３】
一方、一般的に火災報知システムにあっては、試験器を使い強制的に火災感知器を作動試験させてシステムの点検を行う保守点検の際に、点検を効率的に行うために火災感知器の作動試験による火災信号を自己保持しないと共に、火災信号受信後数秒間経過したところで火災感知器の電源供給を一旦停止して復旧させる試験復旧モードを受信機に設定する。試験復旧モードを設定することで、住棟用受信機は、火災感知器の作動試験による火災信号を受信している期間、数秒間のみ警報動作を行うようになる。
【０００４】
【発明が解決しようとする課題】
ところで、上述した従来の共同住宅用火災報知システムにあっては、保守点検時、住棟用受信機に試験復旧モードを設定する場合にあっては、火災信号を自己保持しないため、火災感知器の作動試験による火災信号の出力時間のみ音声警報信号を出力することになる。通常、火災感知器の作動試験による火災信号の出力時間は数秒程度と短く、更に音声警報装置のアンプ立ち上がりに２秒程度が掛かることを考慮して実際の音声出力はアンプ起動後２秒程度ウエイトしてから行うため、結果、住棟用受信機から出力される音声警報信号の出力時間、即ち住戸側のスピーカからの音声警報メッセージの時間は数秒以下と短く、このため点検者は正常に点検が終了したか否か容易に確認できなく、最悪の場合、音声警報メッセージを聞き逃す可能性がある。
【０００５】
ちなみに、音声警報メッセージの「ピンポン」でも約１．５秒掛かることから、保守点検時、「ピンポン」程度しか出力されないことになる。
また、この程度の長さの音声警報メッセージを確認しただけでは、音声警報装置の機能チェックを十分行ったとは言えず、例えば音声ファイルが途中で壊れていた場合には、確認できない問題がある。
【０００６】
本発明は上述した事情に鑑みてなされたもので、起動信号が数秒間しかオンにならなくても、点検の結果を確実に認識することができる音声警報装置、住棟用受信機及び共同住宅用火災報知システムを提供することを目的としている。
【０００７】
【課題を解決するための手段】
上記目的達成のため、請求項１記載の発明による音声警報装置は、通常時、起動信号がオンになることで異常発生を知らせる音声警報信号を出力し、起動信号がオフになることで音声警報信号の出力を直ちに停止し、点検モードを設定した場合には、音声警報信号の出力途中で起動信号がオフになってもその時点で音声警報信号の出力を停止せず、音声警報信号のうちの予め決められた音声警報メッセージまで出力してから停止することを特徴とする。
【０００８】
上記構成によれば、点検モードが設定されていない通常時には、起動信号がオンになると音声警報信号（音声警報メッセージ）が出力され、オフになると直ちに出力されなくなる。点検モードが設定されると、音声警報信号が出力されている間に起動信号がオフになってもその時点で直ちに音声警報信号の出力が停止せず、予め決められた区切りまで出力されてから停止する。
例えば、通常時に出力する音声警報信号が「（ピンポン、ピンポン、ピンポン、火事です、火事です、１階で火災が発生しました。安全を確認のうえ避難して下さい。）×２回繰り返し＋（フィフィフィ）×３回繰り返し」であるとして、「（ピンポン、ピンポン、ピンポン、火事です、火事です、１階で火災が発生しました。安全を確認のうえ避難して下さい。）」までを区切りとすると、例えば「ピンポン」まで出力された時点で起動信号がオフになっても、その時点で音声警報信号の出力が停止せず、その後の「（ピンポン、ピンポン、火事です、火事です、１階で火災が発生しました。安全を確認のうえ避難して下さい。）」まで出力されてから停止する。
【０００９】
したがって、住戸点検時に外部試験器による火災感知器の遠隔作動試験が正常に終了して、中継器からの火災信号が数秒間しかオンにならなくても、住棟用受信機からは通常時に出力する音声警報信号のうちの予め決められた区切りまで出力されるので、住戸点検において、音声警報装置の機能を確実に確認できるようになる。また、当然ながら音声警報信号線及び戸外表示器の試験結果も確実に認識することができる。
【００１０】
請求項２記載の発明による住棟用受信機は、
請求項１記載の音声警報装置を備え、火災信号を受けることで起動信号をオンし、前記音声警報装置を起動させて音声警報信号を出力することを特徴とする。
【００１１】
請求項３記載の発明による共同住宅用火災報知システムは、管理人室等の中央に設けられる請求項２記載の住棟用受信機と、各住戸毎に設けられる、火災感知器と、該火災感知器を感知器回線を介して接続し、火災確定信号を受けた場合に前記住棟用受信機に火災信号を出力する中継器と、前記中継器が前記火災感知器の発報を検出した場合に出力する作動信号を受信した場合には、自己のスピーカにより音声警報を行うと共に前記作動信号を受けて所定の遅延時間後に火災確定信号を中継器に出力する住戸用受信機と、音声警報信号を出力するスピーカを備えた戸外表示器とを備えた共同用住宅用火災報知システムにあって、前記火災感知器の遠隔作動試験を含む住戸点検時に前記中継器に接続し、試験開始操作を行った場合に前記中継器を介して前記住戸用受信機に試験中信号を出力し、前記火災感知器の試験が正常に終了した場合に前記中継器に試験正常終了信号を数秒間出力する回路部を設けた外部試験器を有し、前記中継器に、前記外部試験器より試験中信号を受けた場合に前記感知器回線を住戸用受信機側から外部試験器側に切り換え接続して外部試験器から前記火災感知器の遠隔作動試験を可能とし、前記外部試験器より試験正常終了信号を受けた場合に、試験正常終了信号の出力時間程度だけ前記住戸用受信機に作動信号を出力し、該作動信号を出力した後前記住戸用受信機より火災確定信号を受けた場合に、該火災確定信号の出力時間程度だけ前記住棟用受信機に火災信号を出力する回路部を設け、前記住棟用受信機に、前記中継器から送られる火災信号を保持しない試験復旧モードを備え、住戸点検時に該試験復旧モードが設定されている状態で、前記中継器からの火災信号を受けると、前記音声警報装置に対する起動信号をオンし、火災信号を受けなくなった時点で前記音声警報装置への起動信号をオフする回路部を設け、自己の前記音声警報装置は、住戸点検時に点検モードが設定されていることで、前記回路部からの起動信号がオンになることで異常発生信号を知らせる音声警報信号の出力を開始し、音声警報信号の出力途中で起動信号がオフになってもその時点で音声警報信号の出力を停止せず、音声警報信号のうちの予め決められた音声警報メッセージまで出力してから停止し、前記住戸用受信機に、前記中継器経由で前記外部試験器からの試験中信号を受けることで、前記戸外表示器に試験中信号を出力し、更に自己のスピーカによる音声警報及び前記遅延時間による遅延動作を禁止し、また、該試験中信号を受けている状態で前記中継器より作動信号を受けた場合に、音声警報を行わず、直ちに前記中継器に火災確定信号を作動信号の出力時間程度だけ出力する回路部を設け、前記戸外表示器に、前記住戸用受信機より試験中信号を受けている状態で、前記住棟用受信機から出力される音声警報信号を自己のスピーカから出力可能とする回路部を設けたことを特徴とする。
【００１２】
【発明の実施の形態】
以下、本発明の実施の形態を図面例と共に説明する。
図１は本発明に係る共同住宅用火災報知システムの実施の形態の構成を示すブロック図、図２は図１の共同住宅用火災報知システムの住棟用受信機１の構成を示すブロック図、図３は図２の住棟用受信機１の音声警報装置５６の構成を示すブロック図である。
この実施の形態の共同住宅用火災報知システムは、住棟用受信機１と、自火報総合盤２と、中継器３と、住戸用受信機４と、戸外表示器５と、共用部スピーカ６とを備えて構成される。住棟用受信機１は管理人室等の中央に配置され、自火報総合盤２は警戒区域毎に例えば各階毎に配置される。住戸用受信機４は各階の各住戸毎に住戸内に配置され、中継器３及び戸外表示器５は各階の各住戸毎に玄関外側等の住戸外に配置される。共用部スピーカ６は各階の廊下やエレベータ等の共用部に配置される。
【００１３】
住棟用受信機１からは地区音響制御信号Ｅ６と音声警報信号Ｅ７が出力される。地区音響制御信号Ｅ６は各階の自火報総合盤２と共用部スピーカ６に供給されると共に、各階の各住戸の住戸用受信機４及び戸外表示器５に供給される。音声警報信号Ｅ７は各階の共用部スピーカ６に供給されると共に、各階の各住戸の戸外表示器５に供給され、さらに各階の自火報総合盤２を介して各住戸の住戸用受信機４に供給される。中継器３には自己復旧型の遠隔作動試験機能付火災感知器１０，１０が感知器回線１１ａ，１１ｂを介して接続されており、この自己復旧型の火災感知器１０，１０は、火災により熱や煙などを検出することで感知器回線１１ａ，１１ｂ間に発報電流を流し、検出しなくなることで復旧する。外部試験器４０は、火災感知器１０の遠隔作動試験を含む住戸点検時に中継器３に接続して使用する。以下、自火報総合盤２、中継器３、住戸用受信機４、戸外表示器５、住棟用受信機１の順で詳細を説明する。
【００１４】
（I）共同住宅用火災報知システムの構成
（ａ）自火報総合盤２、中継器３、住戸用受信機、戸外表示器５及び共用部スピーカ６
図１において、自火報総合盤２にはリレーＢＦ，ＢＮ，スピーカ７等が設けられており、リレーＢＦ，ＢＮは住棟用受信機１からの地区音響制御信号Ｅ６で作動して、その接点ｂn，ｂfを閉じ、音声警報信号Ｅ７の入力可能状態とする。共用部スピーカ６には、リレーＢＫ、スピーカが設けられており、リレーＢＫは住棟用受信機１からの地区音響制御信号Ｅ６で作動して、その接点ｂｋを閉じ、音声警報信号の入力可能状態とする。中継器３には、外部試験器４０による火災感知器１０の遠隔作動試験時に、感知器回線１１ａを外部試験器４０側へ切り換える接点ｋ1と、閉状態とすることで住戸用受信機４に試験中信号Ｅ９を出力する接点ｋ2と、閉状態とすることで火災確定移報リレーＳに２４Ｖの電源を供給する接点ｋ3と、火災感知器１０の発報検出時及び外部試験器４０から所定の短い時間例えば２秒間出力される試験正常終了を示すＯＫ信号の検出時に閉状態とする接点ｏｋと、外部試験器４０からの試験中信号Ｅ９により作動し、上記接点ｋ1，ｋ2，ｋ3を備えるリレーＫと、外部試験器４０からの試験正常終了を示すＯＫ信号により作動する接点ｏｋを備えるリレーＯＫと、外部試験器４０からの試験信号Ｑを試験信号線１１ｃに通過するための線路とが設けられている。
【００１５】
火災感知器１０が火災による熱や煙などを検出することで、感知器回線１１ａ，１１ｂ間に発報電流が流れ、この発報電流が中継器３に出力されると、中継器３内の受信回路１２の受信リレーＬが作動し、そのリレー接点ｌを閉じて感知器作動信号（以下、単に「作動信号」という）Ｅ１が住戸用受信機４に供給される。また、中継器３では、受信リレーＬの作動と同時に保持リレー回路１３の保持リレーＭも作動して、そのリレー接点ｍ1，ｍ2を閉じて、火災信号Ｅ４の出力許容状態及び作動信号Ｅ１の保持許容状態が作り出される。
【００１６】
住戸用受信機４では、中継器３より作動信号Ｅ１が入力されると、受信回路１４の受信リレーＲが作動し、例えば１０秒間継続して作動すると、作動信号Ｅ１の受信状態が保持されると共に保持リレーＨが作動し、そのリレー接点ｈが閉じて、中継器３に対し「Ｌ」レベルとなる保持信号Ｅ２が出力される。この保持信号Ｅ２を中継器３の保持回路１７がリレー接点ｆ2を介して取り込むと、保持リレー回路１３の保持リレーＭを火災感知器１０が復旧しても非作動とならないように保持する。また保持回路１７は、同時に戸外表示器５に対する供給電圧を＋１２Ｖから電源・火災信号Ｅ８となる＋２４Ｖに変化させて火災表示を行わせる。戸外表示器５の検出回路１９は電源・火災信号Ｅ８となる＋２４Ｖを検出して表示灯２０を点滅させる。住戸用受信機４は中継器３より作動信号Ｅ１を入力することで、自己の音声合成部２７を起動し、火災感知器１０の作動を示すメッセージを合成し、アンプ２８で増幅した後、リレー接点ｄｃを介してスピーカ２６から出力する。
【００１７】
また、住戸用受信機４では、中継器３より作動信号Ｅ１が送られてきた時から２〜５分の範囲内の所定時間の監視が行われる。即ち、作動信号Ｅ１が入力されると、受信リレーＲが作動すると同時に火災確認時間となる２〜５分の遅延時間Ｔ１が設定されている遅延タイマ１５が起動し、この遅延タイマ１５の起動後の２〜５分の間に復旧スイッチ（図示略）が操作されたか否かの判定が行われ、この間に復旧スイッチが操作されなければリレー接点ｔ1が開き、有電圧信号が遮断されることで火災確定信号Ｅ３が中継器３に出力される。住戸用受信機４は、火災確定信号Ｅ３を出力する際に、音声合成部２７で火災発生を示すメッセージを合成し、アンプ２８で増幅した後、リレー接点ｄｃを介してスピーカ２６から出力する。
【００１８】
住戸用受信機４より火災確定信号Ｅ３が出力されることで有電圧信号が遮断されると、中継器３ではフォトカプラ２１の出力が「Ｌ」レベルから「Ｈ」レベルになり、インバータ２２で「Ｌ」レベルに反転されて出力されることで、この時点で既にリレー接点ｍ2は閉じられて出力許容状態となっていることから、火災確定移報リレーＳに電流が流れ作動する。火災確定移報リレーＳが作動すると、リレー接点ｓ1が閉じて「Ｌ」レベルとなる火災信号Ｅ４が火報信号線２３を介して住棟用受信機１へ出力される。またリレー接点ｓ2が閉じて、住棟用受信機１からの確認信号Ｅ５の受信可能状態が作り出される。
また、住戸用受信機４では、中継器３より作動信号Ｅ１を受けない状態で地区音響制御信号Ｅ６を受けると、フォトカプラ２５のフォトトランジスタがオンしてリレーＢが作動し、リレー接点ｂを開くことでリレーＤＣが不作動となり、その接点ｄｃが音声警報信号線９1側に切り換わり、スピーカ２６が接続され、音声警報信号Ｅ７の入力可能状態となる。
【００１９】
更に、住戸用受信機４には、中継器３を介して外部試験器４０から出力される試験中信号Ｅ９を検出したときに試験中信号Ｅ９を戸外表示器５に供給する手段が設けられており、戸外表示器５にあっては、住戸用受信機４より試験中信号Ｅ９が供給されると、リレーＪが作動して、そのリレー接点ｊ1，ｊ2が切り換わり、スピーカ２９が音声警報信号線９1に接続され、音声警報信号Ｅ７の入力が可能となる。
また、戸外表示器５にあっては、検出回路１９で中継器３からの電源・火災信号Ｅ８の検出している状態で地区音響制御信号Ｅ６が供給されるとリレーＪが作動して、リレー接点ｊ1，ｊ2が切り換わり、スピーカ２９が音声警報信号線９1に接続され、音声警報信号Ｅ７の入力可能状態となる。
【００２０】
（ｂ）住棟用受信機１
住棟用受信機１は、図２に示すように、地区音響停止モードの設定や試験復旧モードの設定等の操作を行う操作部５１と、
火災表示等を行う表示部５２と、自己のスピーカ５４を鳴動させる音響部５３と、中継器３からの火災信号Ｅ４を受信する受信部５５と、自火報総合盤２のスピーカ７，住戸用受信機４のスピーカ２６，戸外表示器５のスピーカ２９及び共用部スピーカ６を鳴動させるための音声警報信号Ｅ７を出力する音声警報装置５６と、自火報総合盤２，共用部スピーカ６，各住戸に設置された住戸用受信機４，戸外表示器５に地区音響制御信号Ｅ６を送るための複数のリレーＢ，Ｂ1，Ｂ2，…、Ｂnと、これら複数のリレーＢ，Ｂ1，Ｂ2，…，Ｂnの夫々を駆動するためのトランジスタ５８と、受信部５５にて受信された火災信号Ｅ４の取り込みを行うと共に操作部５１からの操作信号の取り込みを行い、これらの信号に基づいて表示部５２，音響部５３，音声警報装置５６及び複数のトランジスタ５８の制御等を行う制御部５７と、２４Ｖ定電圧を生成し、中継器３に供給する２４Ｖ定電圧部５９とを備えて構成される。
【００２１】
制御部５７は、受信部５５にて受信された火災信号Ｅ４を取り込み火災と判断すると、火災代表信号ＦＡと、出火地区に対応する火災地区信号ＦＡ1，ＦＡ2，…，ＦＡnと、出火階とその直上階に対応する地区リレー駆動信号ＳＢ1，ＳＢ2，…，ＳＢnと、地区音響制御信号の代表となる地区音響代表信号Ｂとを出力する。例えば１階の住戸で火災が発生した場合、火災代表信号ＦＡ，火災地区信号ＦＡ1，地区リレー駆動信号ＳＢ1，ＳＢ2，地区音響代表信号Ｂをそれぞれ出力する。また、２階の住戸で火災が発生した場合、火災代表信号ＦＡ，火災地区信号ＦＡ2，地区リレー駆動信号ＳＢ2，ＳＢ3，地区音響代表信号Ｂをそれぞれ出力する。また、３階の住戸で火災が発生した場合、火災代表信号ＦＡ，火災地区信号ＦＡ3，地区リレー駆動信号ＳＢ3，ＳＢ4，地区音響代表信号Ｂをそれぞれ出力する。
【００２２】
そして、例えば地区リレー駆動信号ＳＢ1，ＳＢ2が出力されると、地区リレーＢ1，Ｂ2を駆動するトランジスタ５８，５８がそれぞれオンし、地区リレーＢ1，Ｂ2の接点ｂ1，ｂ2が閉じる。また、地区音響代表信号Ｂが出力されると、地区音響代表リレーＢを駆動するトランジスタ５８がオンし、地区音響代表リレーＢの接点ｂが閉じる。地区音響代表リレーＢの接点ｂと地区リレーＢ1，Ｂ2の接点ｂ1，ｂ2がそれぞれ閉じることで、１階と２階の各自火報総合盤２，共用部スピーカ６，１階と２階の各住戸の住戸用受信機４及び戸外表示器５に向けて地区音響制御信号Ｅ６が出力される。このように、制御部５７から地区音響代表信号Ｂと地区リレー駆動信号ＳＢ1，ＳＢ2，…，ＳＢnが出力されることで地区音響制御信号Ｅ６が出力される。
【００２３】
音声警報装置５６は、通常時に制御部５７からの火災代表信号ＦＡ，火災地区信号ＦＡ1，ＦＡ2，…，ＦＡn，地区音響代表信号Ｂの全てがオンになると、音声警報信号Ｅ７を生成し、また同時に音声警報信号Ｅ７を出力するための音声警報信号線９n，９n+1を選択する。例えば１階で火災が発生した場合、火災代表信号ＦＡ，火災地区信号ＦＡ1及び地区音響代表信号Ｂがオンになるので、この際に生成した音声警報信号Ｅ７を１階の音声警報信号線９1と２階の音声警報信号線９2に出力する。１階と２階に対して地区音響制御信号Ｅ６が出力されている状態で、このように音声警報信号Ｅ７が出力されると、１階と２階の自火報総合盤２のスピーカ７，共用部スピーカ６，出火住戸を除く１階と２階の各住戸の住戸用受信機４のスピーカ２６及び出火住戸の戸外表示器５のスピーカ２９から音声警報信号Ｅ７が出力され、それぞれ鳴動する。そして、復旧操作が行われるまで「（ピンポン、ピンポン、ピンポン、火事です、火事です、１階で火災が発生しました。安全を確認のうえ避難して下さい。）×２回繰り返し＋（フィフィフィ）×３回繰り返し」なる音声警報メッセージが繰り返し出力される。
【００２４】
また、２階で火災が発生した場合は、火災代表信号ＦＡ，火災地区信号ＦＡ2及び地区音響代表信号Ｂがオンになるので、この際に生成した音声警報信号Ｅ７を２階の音声警報信号線９2と３階の音声警報信号線９3に出力する。２階と３階に対して地区音響制御信号Ｅ６が出力されている状態で、このように音声警報信号Ｅ７が出力されると、２階と３階の自火報総合盤２のスピーカ７，共用部スピーカ６，出火住戸を除く２階と３階の各住戸の住戸用受信機４のスピーカ２６及び戸外表示器５のスピーカ２９から音声警報信号Ｅ７が出力され、それぞれ鳴動する。
【００２５】
このように、火災が発生すると、出火住戸の階とその直上階の自火報総合盤２のスピーカ７，共用部スピーカ６，出火住戸を除く出火階とその直上階の各住戸の住戸用受信機４のスピーカ２６及び出火住戸の戸外表示器５のスピーカ２９から音声警報信号Ｅ７が出力され、出火階とその直上階の居住者や共用部にいる人に対して火災の発生を知らせる。
その後、復旧操作が行われて、火災代表信号ＦＡ又は火災地区信号ＦＡ1，ＦＡ2，…，ＦＡnのいずれかがオフになると、音声警報装置５６は音声警報信号Ｅ７の出力を停止する。これにより、出火階とその直上階の自火報総合盤２のスピーカ７，共用部スピーカ６，出火住戸を除く出火階とその直上階の各住戸の住戸用受信機４のスピーカ２６及び出火住戸の戸外表示器５のスピーカ２９から音声警報信号Ｅ７が出力されなくなり、鳴動しなくなる。
【００２６】
操作部５１には、地区音響停止モードを設定する地区音響停止スイッチ８０と試験復旧モードを設定する試験復旧スイッチ８１が設けられている。地区音響停止スイッチ８０を操作して、制御部５７に地区音響停止モードに設定することで、制御部５７は、中継器３からの火災信号Ｅ４がオンになっても地区音響代表信号Ｂ及び地区リレー駆動信号ＳＢは出力しないようになり、このことで地区音響制御信号Ｅ６及び音声警報信号Ｅ７は出力されないようになる。一方、試験復旧スイッチ８１を操作して試験復旧モードに設定することで、中継器３からの火災信号Ｅ４がオンになる期間のみ制御部５７から火災代表信号ＦＡ，火災地区信号ＦＡ1，ＦＡ2，…，ＦＡn，地区音響代表信号Ｂが出力される。即ち、試験復旧モードに設定することで、中継器３からの火災信号Ｅ４がオンになる期間のみ地区音響制御信号Ｅ６及び音声警報信号Ｅ７が出力される。火災信号Ｅ４がオフになった場合には自動的に復旧する。尚、試験復旧モード、地区音響停止モードの両方が設定されている場合には火災信号Ｅ４がオンになっても、地区音響制御信号Ｅ６及び音声警報信号Ｅ７は出力されず、火災信号Ｅ４がオンになっている期間のみ表示部５２で火災表示、スピーカ５４で火災警報がなされるのみである。
【００２７】
音声警報装置５６には、外部試験器４０による火災感知器１０の遠隔作動試験（住戸点検）などの保守点検時に点検モードを設定する点検スイッチ７３が設けられており、この点検スイッチ７３をオンして点検モードを設定すると、起動信号となる火災代表信号ＦＡ及び火災地区信号ＦＡ1，ＦＡ2，…，ＦＡnがオンすると地区音響代表信号Ｂがオンしなくとも音声警報信号Ｅ７を出力する。そして、火災代表信号ＦＡ及び火災地区信号ＦＡ1，ＦＡ2，…，ＦＡnのいずれか一つでもオフすると音声警報信号Ｅ７の出力を停止する。また、この点検モードが設定されることで、音声警報装置５６は、住戸点検で火災感知器１０が正常に作動して外部試験器４０より試験正常終了信号が約２秒間出力されることで、中継器３より出力される火災信号Ｅ４が約２秒間しかオンにならず起動信号となる火災代表信号ＦＡ及び火災地区信号ＦＡ1，ＦＡ2，…，ＦＡnがこの間しかオンにならなくても、通常時に出力する音声警報メッセージのうちの予め決められた区切りまで出力する。
【００２８】
例えば、通常時の音声警報メッセージが上述のように「（ピンポン、ピンポン、ピンポン、火事です、火事です、１階で火災が発生しました。安全を確認のうえ避難して下さい。）×２回繰り返し＋（フィフィフィ）×３回繰り返し」であるとして、そのうちの例えば「（ピンポン、ピンポン、ピンポン、火事です、火事です、１階で火災が発生しました。安全を確認のうえ避難して下さい。）」までが区切りとして設定されているとすると、例えば「ピンポン」まで出力された時点で火災信号Ｅ４が出力されなくなって、起動信号となる火災代表信号ＦＡと火災地区信号ＦＡ1，ＦＡ2，…，ＦＡnのいずれか一方がオフになっても、その後の「（ピンポン、ピンポン、火事です、火事です、１階で火災が発生しました。安全を確認のうえ避難して下さい。）」まで出力して停止する。
【００２９】
一方、住戸点検時では、地区音響停止スイッチ８０をオンして地区音響停止モードを設定することで、住棟用受信機５０からは地区音響制御信号Ｅ６が出力されないでの、音声警報装置５６から音声警報信号Ｅ７が出力されても、自火報総合盤２のスピーカ７，共用部スピーカ６，点検住戸の戸外表示器５のスピーカ２９を除く出火階及びその直上階の各住戸の住戸用受信機４のスピーカ２６及び戸外表示器５のスピーカ２９からは音声警報信号Ｅ７が出力されず、鳴動しない。点検住戸の戸外表示器５は、点検住戸の住戸用受信機４から試験中信号Ｅ９が供給されてリレーＪが作動していてスピーカ２９が音声警報信号線９に接続されているので、そのスピーカ２９から音声警報信号Ｅ７が出力され、鳴動する。
【００３０】
ここで、音声警報装置５６の通常時と点検モード時の動作をまとめると、次のようになる。
通常時：火災代表信号ＦＡ、火災地区信号ＦＡ1，ＦＡ2，…，ＦＡn及び地区音響代表信号Ｂの全てオンになると音声警報信号Ｅ７を出力し、火災代表信号ＦＡ、火災地区信号ＦＡ1，ＦＡ2，…，ＦＡn及び地区音響代表信号Ｂのいずれか一つでもオフになると音声警報信号Ｅ７の出力を直ちに停止する。
点検モード時：火災代表信号ＦＡ及び火災地区信号ＦＡ1，ＦＡ2，…，ＦＡnがオンになると、地区音響代表信号Ｂがオンしなくとも音声警報信号Ｅ７を出力し、火災代表信号ＦＡ及び火災地区信号ＦＡ1，ＦＡ2，…，ＦＡnのうちのいずれか一つでもオフになると音声警報信号Ｅ７の出力を停止する。但し、音声警報メッセージが所定の区切りに至るまでに、火災代表信号ＦＡ及び火災地区信号ＦＡ1，ＦＡ2，…，ＦＡnのうちのいずれか一つでもオフになっても、その時点では音声警報信号Ｅ７の出力を停止せず、音声警報メッセージが所定の区切りに至るまで出力する。
【００３１】
この音声警報装置５６は、図３のブロック図に示すように、上述した点検スイッチ７３の他に、インタフェース６０と、制御回路６１と、データファイル６２と、音声ファイル６３と、音声合成回路６４と、アンプ６５と、アンプ電源制御回路６６と、スピーカ回線制御回路６７と、リレーＫ１〜Ｋ２０と、短絡保護回路６８と、電源回路６９とを備えて構成される。
アンプ６５は、アンプ電源制御回路６６により電源が供給されることで起動し、音声合成回路６４から出力される音声警報信号を所定のレベルまで増幅して出力する。アンプ電源制御回路６６は、トランジスタ７０、トランジスタ７１及び抵抗７２を備えて構成されており、制御回路６１のアンプ起動信号がオフになると即ち”Ｌ”レベルになると、トランジスタ７０の出力が”Ｌ”レベルになり、これによってトランジスタ７１と抵抗７２からなるスイッチ回路がオフし、アンプ６５がオフする。これに対し、制御回路６１のアンプ起動信号がオンになると即ち”Ｈ”レベルになると、トランジスタ７０の出力が”Ｈ”レベルになり、これによってトランジスタ７１と抵抗７２からなるスイッチ回路がオンして、アンプ６５がオンする。
【００３２】
短絡保護回路６８は、音声警報装置５６から自火報総合盤２のスピーカ７，共用部スピーカ６，各住戸の住戸用受信機４のスピーカ２６及び戸外表示器５のスピーカ２９までの間の配線障害（即ち、例えば音声警報信号線９の断線、短絡等）によるアンプ６５の破壊を防止するものであり、過電流を検出することで音声警報信号線９を切り離す。電源回路６９は商用電源１００Ｖから直流２４Ｖを生成して出力する。制御回路６１は、ＭＰＵで構成され、ＲＯＭに記憶されているプログラム及び例えばメモリカードで成るデータファイル１２に記憶されている音声の組み合わせデータ等に従って他の回路を制御する。
【００３３】
制御回路６１は、通常時にインタフェース６０を介して制御部５７から出力される火災代表信号ＦＡ、出火階を示す火災地区信号ＦＡ1，ＦＡ2，…，ＦＡn、地区音響代表信号Ｂを取り込むと、アンプ電源制御回路６６を動作させてアンプ６５を起動させると共にスピーカ回線制御回路６７に選択信号を供給して音声警報信号線を選択し、更に音声合成回路６４を起動させる。例えば１階と２階の音声警報信号線９1，９2を選択するにはリレーＫ１，Ｋ２を作動させる信号をスピーカ回線制御回路６７に供給する。これによりリレーＫ１，Ｋ２が作動し、それぞれに対応する接点ｋ1、ｋ2が閉じて１階と２階の音声警報信号線９1，９2が接続される。
【００３４】
音声合成回路６４は、音声データが記憶されたＲＯＭで構成される音声ファイル６３から必要な音声データを読み出し、これにディジタル信号処理を行って音声警報信号Ｅ７として出力する。この場合、上述したように、「ピンポン、ピンポン、ピンポン、火事です、火事です、１階で火災が発生しました。安全を確認のうえ避難して下さい。）×２回繰り返し＋（フィフィフィ）×３回繰り返し」からなる音声警報メッセージが合成され、音声警報信号Ｅ７として出力される。
【００３５】
一方、点検モード時には、制御回路６１はインタフェース６０を介して火災代表信号ＦＡ及び出火階を示す火災地区信号ＦＡ1，ＦＡ2，…，ＦＡnを取り込むと、地区音響停止モードが設定されていることで地区音響代表信号Ｂが取り込めなくても通常時と同様にアンプ電源制御回路６６を動作させてアンプ６５を起動させると共にスピーカ回線制御回路６７に選択信号を供給して音声警報信号線９n，９n+1を選択し、更に音声合成回路６４を起動させて音声警報信号Ｅ７を出力させる。住戸点検時では、火災感知器１０が正常に作動すると外部試験器４０より試験正常終了信号が約２秒間だけ出力されるので、中継器３より出力される火災信号Ｅ４は約２秒間オンし、その後オフになる。したがって、住棟用受信機５０の制御部５７から出力される火災代表信号ＦＡ及び出火階を示す火災地区信号ＦＡ1，ＦＡ2，…，ＦＡnも約２秒間だけ入力されることになるが、制御回路６１は通常時に出力する音声警報メッセージのうちの予め決められた区切りまで出力するように音声合成回路６４を動作させる。そして、予め決められた区切りまで音声警報メッセージを出力すると、音声合成回路６４，アンプ６５，リレーＫをそれぞれオフして音声警報信号Ｅ７の出力を停止する。
【００３６】
（ｃ）音声警報装置５６の動作
ここで、図４に示すフローチャートを参照しながら点検モード時における音声警報装置５６の制御回路６１の動作について説明する。
まず、Ｓ１０で火災信号（火災代表信号ＦＡ及び出火階を示す火災地区信号ＦＡ1，ＦＡ2，…，ＦＡn）の入力の有無を判定する。この判定において、火災信号が入力されていないと判断するとこのＳ１０を繰り返し、火災信号が入力されたと判断すると、Ｓ１２に進み、アンプ電源制御回路６６を制御してアンプ６５を起動させる。そして、アンプ６５の立ち上がりを考慮して０．５〜１．０秒間待機した後、Ｓ１４でスピーカ回線制御回路６７に選択信号を供給して出火階及びその直上階へ音声警報信号Ｅ７を送るための音声警報信号線９n，９n+1を選択する。
【００３７】
音声警報信号線９n，９n+1を選択した後、制御回路６１は、Ｓ１６で音声合成回路６４を起動させる。これにより、音声合成回路６４にて音声警報信号Ｅ７の源信号が生成され、それがアンプ６５で所定レベルまで増幅された後、選択された音声警報信号線９n，９n+1へ出力される。音声合成回路６４を起動させた後、制御回路６１は、Ｓ１８で火災信号の入力が無くなったか否かを判定し、火災信号が継続して入力されていると判断するとＳ１６に戻る。これに対して火災信号の入力が無くなったと判断すると、Ｓ２０に進み、音声警報メッセージが予め決められた区切りまで出力されたか否かを判定し、予め決められた区切りまで出力されていないと判断するとＳ１６に戻り、継続して音声警報信号Ｅ７を出力する。これに対して、音声警報メッセージが予め決められた区切りまで出力されたと判断すると、Ｓ２２に進み、アンプ電源制御回路６６を制御してアンプ６５を停止させ、更にＳ２４で音声合成回路６４を停止させる停止信号を出力して、音声警報信号Ｅ７の出力を停止する。
【００３８】
（II）共同住宅用火災報知システムの動作
次に、上記構成の共同住宅用火災報知システムの通常時と住戸点検時の動作を説明する。
（イ）通常時
通常の火災時に、住棟用受信機１は中継器３より火災信号Ｅ４を受けると、出火階及び直上階に対し地区音響制御信号Ｅ６及び音声警報信号Ｅ７を出力する。住棟用受信機１より地区音響制御信号Ｅ６が出力されると、自火報総合盤２の地区音響制御信号Ｅ６を通す回線に設けられたリレーＢＦ，ＢＮが作動して、夫々のリレー接点ｂf，ｂnが閉じる。リレー接点ｂnが閉じることで、自火報総合盤２のスピーカ７が音声警報信号線９1に接続され、住棟用受信機１からの音声警報信号Ｅ７がスピーカ７から出力され、鳴動する。
【００３９】
一方、リレー接点ｂfが閉じると、自火報総合盤２内で音声警報信号Ｅ７を通す回線が繋がって住棟用受信機１からの音声警報信号Ｅ７が出火階及び直上階の各住戸の住戸用受信機４へ流れる。この場合、出火住戸の住戸用受信機４にあっては、中継器３より火災感知器１０の作動を示す作動信号Ｅ１を受けるので、自己の音声合成部２７を起動し、火災感知器１０の作動を示すメッセージを合成し、アンプ２８で増幅した後、リレー接点ｄｃを介してスピーカ２６から出力する。また、火災確定信号Ｅ３の出力時には、音声合成部２７を起動し火災発生を示すメッセージを合成して、スピーカ２６から出力する。出火住戸の住戸用受信機４は、中継器３から作動信号Ｅ１を受信することで受信リレーＲが作動し、地区音響制御信号線８1に設けられているリレー接点ｒが開放するため地区音響制御信号Ｅ６の入力が禁止され、結果、リレー接点ｄｃが切り換わらないため音声警報信号Ｅ７はスピーカ２６から出力されない。これに対し出火住戸を除く出火階とその直上階の各住戸の各住戸用受信機４にあっては、作動信号Ｅ１を受けないので、リレー接点ｒが閉じたままであることから、住棟用受信機１からの地区音響制御信号Ｅ６によりフォトカプラ２５のフォトトランジスタがオンしてリレーＢが作動し、リレー接点ｂを開くことでリレーＤＣが不作動になり、そのリレー接点ｄｃが音声警報信号線９1側に切り換わりスピーカ２６が接続され、住棟用受信機１からの音声警報信号Ｅ７がスピーカ２６から出力され鳴動する。
【００４０】
また、出火住戸の戸外表示器５にあっては、検出回路１９で中継器３からの電源・火災信号Ｅ８を検出している状態で、地区音響制御信号Ｅ６が供給されると、リレーＪの作動でリレー接点ｊ1，ｊ2が切り換わり、スピーカ２９が音声警報信号線９1に接続されて、住棟用受信機１からの音声警報信号Ｅ７がスピーカ２９から出力され、鳴動する。
また、住棟用受信機１より地区音響制御信号Ｅ６が出力されると、共用部スピーカ６のリレーＢＫが作動して、接点ｂkが閉じる。リレー接点ｂkが閉じることで、共用部スピーカ６が音声警報信号線９1に接続され、住棟用受信機１からの音声警報信号Ｅ７が共用部スピーカ６から出力され、鳴動する。
【００４１】
（ロ）住戸点検時（外部試験器４０による火災感知器１０の遠隔作動試験時）
住戸点検時には、まず住棟用受信機１の地区音響停止スイッチ８０をオンして制御部５７を地区音響停止モードすると共に、試験復旧スイッチ８１をオンして制御部５７を試験復旧モードにする。更に点検スイッチ７３をオンして音声警報装置５６を点検モードにする。地区音響停止モード、試験復旧モード及び点検モードを設定した後、点検住戸において、外部試験器４０を中継器３に接続し火災感知器１０の遠隔作動試験を開始する。まず、外部試験器４０から試験中信号Ｅ９が出力されることで、中継器３ではリレーＫが作動し、接点ｋ1，ｋ2が切り換わり、感知器回線１１ａ，１１ｂが外部試験器４０側に切り換わり、また試験中信号Ｅ９が住戸用受信機４へ出力される。
【００４２】
住戸用受信機４は、試験中信号Ｅ９を受信することで、自己での警報動作及び遅延タイマ１５の起動を禁止する。この状態で外部試験器４０は試験信号線１１ｃを介して火災感知器１０に試験信号Ｑを出力して、その際の火災感知器１０の疑似発報状態から試験状態を確認する。試験信号Ｑを受けた最初の火災感知器１０は疑似発報を行い、次段の火災感知器１０へ試験信号Ｑを出力する。火災感知器１０の試験が正常に終わったと判断すると、外部試験器４０は、中継器３へ試験正常終了を示すＯＫ信号を約２秒間出力する。中継器３では、ＯＫ信号を受けることで、リレーＯＫが作動し、接点ｏｋを閉じることで作動信号Ｅ１をＯＫ信号の出力される約２秒間程度だけ住戸用受信機４へ出力する。
【００４３】
住戸用受信機４は、試験中信号Ｅ９を受けることで遅延タイマ１５の起動が禁止されていることから、作動信号Ｅ１を受信すると直ちに、火災確定信号Ｅ３を作動信号Ｅ１の出力される約２秒間程度だけ中継器３へ出力する。中継器３は、火災確定信号Ｅ３を受信すると、直ちに火災信号Ｅ４を火災確定信号Ｅ３の出力される約２秒間程度だけ住棟用受信機１に出力する。この約２秒間程度の火災信号Ｅ４を受けた住棟用受信機１は、地区音響停止モード、試験復旧モード及び点検モードが設定されていることから音声警報信号Ｅ７のみを予め決められた区切りまで出力する。このとき点検住戸の住戸用受信機４にあっては、中継器３より試験中信号Ｅ９を受けて警報動作を禁止しているため、音声合成部２７が起動せず、スピーカ２６から音声警報は出力されず、鳴動しない。また、点検住戸を除く点検住戸の階の住戸とその直上階の住戸の各住戸用受信機４にあっては、地区音響制御信号Ｅ６が来ないことから、リレーＢは不作動のままであり、したがって接点ｄｃは切り換わらず、スピーカ２６から音声警報信号Ｅ７は出力されない。
【００４４】
一方、点検住戸の戸外表示器５だけにあっては、点検住戸の住戸用受信機４より試験中信号Ｅ９を受けてリレーＪが作動しているので、リレー接点ｊ1が閉じていて、リレー接点ｊ2が音声警報信号線９1側に切り換わっていることから、住棟用受信機１より音声警報信号Ｅ７が出力された場合に、戸外表示器５のスピーカ２９から音声警報信号Ｅ７が出力され、鳴動する。これに対して、点検住戸を除く点検住戸の階の住戸とその直上階の住戸の戸外表示器５にあっては、住戸用受信機４より試験中信号Ｅ９を受けないので、リレーＪは不作動のままで、リレー接点ｊ1は開放状態、リレー接点ｊ2は内部回路（ドアホン）側に接続されていることから、住棟用受信機１より音声警報信号Ｅ７が出力されても戸外表示器５のスピーカ２９から音声警報信号Ｅ７は出力されず、鳴動しない。
【００４５】
このように、火災感知器１０の作動試験が正常に終わって、外部試験器４０から試験正常終了信号となるＯＫ信号が出力されることに連動して中継器３より火災信号Ｅ４が出力され、住棟用受信機１から音声警報信号Ｅ７が正常に出力されると、点検住戸の戸外表示器５のスピーカ２９からのみ音声警報信号Ｅ７が出力され、鳴動する。そして、住戸点検時には音声警報装置５６に点検モードを設定することで、音声警報信号Ｅ７を通常時に出力する音声警報メッセージのうちの予め決められた区切りまで出力するので、点検者は、このスピーカ２９からの音声警報を聞くことで、音声警報装置５６の機能を確実に確認できるようになる。また、当然ながら音声警報信号線９及び戸外表示器５の試験結果も確実に認識することができる。
【００４６】
尚、上記実施の形態では、外部試験器４０による火災感知器１０の遠隔作動試験を、試験信号線１１ｃを使い、試験信号を順次送る方式としていたが、試験信号線１１ｃをなくし、感知器回線１１ａ，１１ｂを使い、火災感知器１０を一つずつアドレス指定して試験発報させような方式としても良い。
【００４７】
【発明の効果】
以上説明したように本発明によれば、音声警報装置を点検モードに設定することで、音声警報信号の出力途中で起動信号がオフになっても、その時点で音声警報信号の出力を停止せず、音声警報メッセージのうちの予め決められた音声警報メッセージまで出力するので、音声警報装置の状態を含めて点検の結果を確実に認識することができる。
また、住戸点検時、火災感知器の試験が正常に終了した場合に外部試験器より試験正常終了信号が数秒間出力されることに連動して、火災信号が数秒間しかオンにならなくても、通常時に出力する音声警報メッセージのうちの予め決められた音声警報メッセージまで出力するので、住戸点検の結果を確実に認識することができる。
また、点検住戸の戸外表示器及び該戸外表示器と住棟用受信機との間の音声警報信号線に障害がなければ、その戸外表示器から音声警報信号が出力されるので、音声警報信号線及び戸外表示器の試験結果も確実に認識することができる。
【図面の簡単な説明】
【図１】本発明に係る共同住宅用火災報知システムの実施の形態の構成を示すブロック図である。
【図２】図１の共同住宅用火災報知システムの住棟用受信機の構成を示すブロック図である。
【図３】図２の住棟用受信機の音声警報装置の構成を示すブロック図である。
【図４】図３の音声警報装置の動作を示すフローチャートである。
【符号の説明】
１  住棟用受信機
２  自火報総合盤
３  中継器
４  住戸用受信機
５  戸外表示器
６  共用部スピーカ
１０  火災感知器
５１  操作部
５５  受信部
５６  音声警報装置
５７  制御部
６０  インタフェース
６１  制御回路
６２  データファイル
６３  音声ファイル
６４  音声合成回路
６５  アンプ
６６  アンプ電源制御回路
７３  点検スイッチ
８０  地区音響停止スイッチ
８１  試験復旧スイッチ
【図１】
0003783992.tif 000002
【図２】
0003783992.tif 000003
【図３】
0003783992.tif 000004
【図４】
0003783992.tif 000005